(57)【要約】  【課題】基礎底面へ固定されるフレーム下枠と、四隅部に固定して垂直に立てられた支柱と、支柱の上部に固定され、アンボンドタイプのアンカーボルトを垂直に支持する定着板とから成る露出型柱脚のアンカーボルト支持フレームを提供する。  【解決手段】フレーム下枠にアングルを用い、同アングルの直角２辺とを水平方向外向きと垂直方向上向きに配置して、平面視を矩形状に組み立てられている。フレーム下枠の四隅部に、同じくアングルを用いた支柱の下部が、同アングルの直角２辺のうちの１辺がフレーム下枠の前記垂直辺の外面に外接され、他の１辺は外向きとなる配置で固定されている。前記支柱の上部における前記直角２辺が形成する外隅部の外面に２辺が外接する配置で平面視が矩形の定着板が水平に固定され、定着板のボルト孔にアンカーボルトが垂直に支持されている。【選択図】  【図１】
2005139695.tif 000002
【特許請求の範囲】
【請求項１】
基礎底面へ固定されるフレーム下枠と、前記フレーム下枠の四隅部に固定して垂直に立てられた支柱と、前記支柱の上部に固定されアンカーボルトを垂直に支持する定着板とから成る、露出型柱脚のアンカーボルト支持フレームにおいて、
フレーム下枠にアングルを用い、同アングルの直角２辺を水平方向外向きと垂直方向上向きに配置して平面視を矩形状に組み立てられており、
前記フレーム下枠の四隅部に、同じくアングルを用いた支柱の下部が、同アングルの直角２辺のうちの１辺がフレーム下枠の前記垂直辺の外面に外接され、他の１辺は外向きとなる配置で固定され、
前記支柱の上部における前記直角２辺が形成する外隅部の外面に２辺が外接する配置で平面視が矩形の定着板が水平に固定され、
前記定着板のボルト孔にアンカーボルトが垂直に支持されていることを特徴とする、露出型柱脚のアンカーボルト支持フレーム。
【請求項２】
フレーム下枠の四隅部に、アングルを用いた支柱の直角２辺のうちフレーム下枠の垂直辺の外面に外接した１辺を除く他の１辺に外接する配置で補助板が固定され、支柱の直角２辺の下部は、フレーム下枠の前記垂直辺および前記補助板とボルト止めにより固定されていることを特徴とする、請求項１に記載した露出型柱脚のアンカーボルト支持フレーム。
【請求項３】
支柱の上部における前記直角２辺が形成する外隅部の外面に、平面視が矩形の定着板の２辺が外接され溶接で固定されていることを特徴とする、請求項１又は２に記載した露出型柱脚のアンカーボルト支持フレーム。
【発明の詳細な説明】
【技術分野】
【０００１】
この発明は、基礎底面へ固定されるフレーム下枠と、前記フレーム下枠の四隅部に固定して垂直に立てられた支柱と、前記支柱の上部に固定され、アンボンドタイプのアンカーボルトを垂直に支持する定着板とから成る露出型柱脚のアンカーボルト支持フレームの技術分野に属する。
【背景技術】
【０００２】
露出型柱脚のアンカーボルト支持フレームに関し、本出願人が下記の特許文献１に提案したアンカーフレームは、フレーム下枠にアングルを用いており、同アングルの直角２辺を水平方向外向きと垂直方向上向きに配置して平面視を矩形に組み立て、前記フレーム下枠の四隅のいわゆる内隅部に、同じくアングルを用いた支柱の下部が、同アングルの直角２辺をフレーム下枠の前記内隅に内接する内向きの配置で固定され、この支柱の上部であって前記直角２辺の外面（いわゆる外隅）に、同じくアングルによる取り付け金物を介して平面視が矩形の定着板が水平に固定され、同定着板のボルト孔にアンカーボルトが垂直に支持された構成である。
【０００３】
特許文献２に開示されたアンカーボルト固定装置は、フレーム下枠の四隅の内隅部又は外隅部に同じくアングルを用いた支柱の下部が固定され、前記支柱の上端部に直接ナットが溶接で上向きに固定され、同ナットへボンドタイプのアンカーボルトの下部が垂直にねじ込まれ支持された構成である。
【０００４】
特許文献３に開示されたアンカーボルト支持構造は、やはりアングルを用いて組み立てたフレーム下枠の四隅外面に、同じくアングルを用いた支柱の下部が固定され、前記支柱の上部に、ボルト保持部と押さえネジを用いてアンカーボルトの下部が垂直に固定支持された構成である。
【０００５】
特許文献４に開示されたアンカーボルト固定構造は、同じくアングルを用いて組み立てたフレーム下枠の四隅外面に、アングルを用いた支柱の下部が固定され、前記支柱の上部に、やはりアングルを用いたフレームポストを利用して定着板が固定され、前記定着板にアンボンドタイプのアンカーボルトの下部が垂直に支持された構成である。
【０００６】
【特許文献１】特開平１１−２８６９４３号公報
【特許文献２】特開２０００−３４５５６７号公報
【特許文献３】特開２００３−３４８６号公報
【特許文献４】特開２００３−５５９８３号公報
【発明の開示】
【発明が解決しようとする課題】
【０００７】
上記特許文献１に開示された露出型柱脚のアンカーフレームは、フレーム下枠の四隅に、アングルを用いた支柱の下部が、フレーム下枠が形成するいわゆる内隅に内接する内向きの配置で固定され、この支柱の上部のいわゆる外隅に定着板が固定されているので、予め設計寸法として決められたアンカーボルトの配置間隔を前提として、定着板及び支柱が前記アンカーボルトの配置間隔から内へ内へと配置された構成なので、結局、フレーム下枠の四隅に立つ支柱の相互間隔（内法間隔）は甚だ狭いものとなっている。そのため、例えば本願の図１と図４および図５を参照して明らかなように、前記支柱の相互間隔（内法間隔）の中へ通す梁鉄筋ａの配筋作業が甚だ窮屈なものとなり、当該アンカーフレームの設置作業と鉄筋組み立て（配筋）作業との折り合いが宜しくないという問題がある。フレーム下枠の四隅に立つ支柱の相互間隔（内法間隔）はできるだけ広い方が好ましいのである。
【０００８】
特許文献２に開示されたアンカーボルト固定装置は、支柱の上端部に直接ナットが溶接で上向きに固定され、前記ナットへボンドタイプのアンカーボルトの下部が垂直にねじ込まれ支持された構成であるから、支柱の相互間隔（内法間隔）はおよそアンカーボルトの配置間隔に近似する程度に広い構成である。しかし、そもそもナットを支柱の上端へ溶接で固定する手法によれば、ナットが溶接熱で歪み、アンカーボルトのねじ込みを不具合にする。のみならず、材質的にも劣化を起こすなどの問題があり実施上好ましくない。また、長いアンカーボルトの方を回してナットへねじ込むほかない構成であるから、アンカーボルトのねじ込み作業および高さ調節の作業が甚だ面倒であり、いわゆる現場での対応に時間がかかるという問題点もある。
【０００９】
特許文献３に開示されたアンカーボルト支持構造は、異形鉄筋状の節を備えたアンカーボルトを使用することが実施上不可欠の構成なので、上記特許文献２と同様に、定着板を使用しないボンドタイプのアンカーボルトを使用した構成であり、支柱の相互間隔（内法間隔）はおよそアンカーボルトの配置間隔に近似する程度に広いけれども、支柱にアンカーボルトを支持させる手段として、角鋼管を切断する等の方法で加工したアンカーボルト保持部を支柱へ溶接し、更に押さえボルトのネジ孔を支柱及びアンカーボルト保持部へ加工し、１本乃至２本の押さえボルトで締結する構成であるから、部品数が多く、各部品の加工および組み立てが面倒で手数がかかり、高価なものとなる欠点が認められる。
【００１０】
特許文献４に開示されたアンカーボルト固定構造は、アングルを用いたフレームポストの上端に定着板が突き合わせ状態に溶接で固定され、前記フレームポストが支柱に対しボルト、ナットにより取り付け固定された構成であるから、やはりフレームポストおよびこれを取り付けるボルト、ナットの分だけ部品点数が多く、製作に手間が掛かり、コスト高になる。のみならず、フレームポストの上端に定着板を突き合わせ状態に溶接で固定する作業は、両者の位置合わせと位置決めが困難で技術的熟練を要するから、特に現場合わせの手法で使用することは困難である。
【００１１】
本発明の目的は、部品点数が少なく、加工及び製作が簡単で手数が少なくて済み、安価に製作できる上に、現場合わせによる使用に容易に対応可能であり、しかも支柱の相互間隔（内法間隔）が可及的に広く、鉄筋組み立て（配筋）作業との折り合いを良好に保てる露出型柱脚のアンカーボルト支持フレームを提供することである。
【００１２】
本発明の次の目的は、アンボンドタイプのアンカーボルトを使用し、このアンカーボルトを支持する構造が簡単で高品質を保てる構成の露出型柱脚のアンカーボルト支持フレームを提供することである。
【課題を解決するための手段】
【００１３】
上記従来技術の課題を解決するための手段として、請求項１に記載した発明に係る露出型柱脚のアンカーボルト支持フレームは、
基礎底面１へ固定されるフレーム下枠１０と、前記フレーム下枠１０の四隅部に固定して垂直に立てられた支柱１１と、前記支柱１１の上部に固定されアンカーボルト１３を垂直に支持する定着板１２とから成る、露出型柱脚のアンカーボルト支持フレームにおいて、
フレーム下枠１０にアングル１５を用い、同アングル１５の直角２辺１５ａと１５ｂを水平方向外向きと垂直方向上向きに配置して平面視を矩形状に組み立てられており、
前記フレーム下枠１０の四隅部に、同じくアングルを用いた支柱１１の下部が、同アングルの直角２辺１１ａ、１１ｂのうちの１辺１１ａがフレーム下枠１０の前記垂直辺１５ｂの外面に外接され、他の１辺１５ａは外向きとなる配置で固定され、
前記支柱１１の上部における前記直角２辺１１ａ、１１ｂが形成する外隅部の外面に２辺が外接する配置で平面視が矩形の定着板１２が水平に固定され、
前記定着板１２のボルト孔にアンカーボルト１３が垂直に支持されていることを特徴とする。
【００１４】
請求項２に記載した発明は、請求項１に記載した露出型柱脚のアンカーボルト支持フレームにおいて、
フレーム下枠１０の四隅部に、アングルを用いた支柱１１の直角２辺１１ａ、１１ｂのうちフレーム下枠１０の垂直辺１５ｂの外面に外接した１辺１１ａを除く他の１辺１１ｂに外接する配置で補助板１６が固定され、支柱１１の直角２辺１１ａ、１１ｂの下部は、フレーム下枠１０の前記垂直辺１５ｂおよび前記補助板１６とボルト止めにより固定されていることを特徴とする。
【００１５】
請求項３に記載した発明は、請求項１又は２に記載した露出型柱脚のアンカーボルト支持フレームにおいて、
支柱１１の上部における前記直角２辺１１ａ、１１ｂが形成する外隅部の外面に、平面視が矩形の定着板１２の２辺が外接され溶接で固定されていることを特徴とする。
【発明の効果】
【００１６】
本発明に係る露出型柱脚のアンカーボルト支持フレームは、アングル１５を用いて平面視を矩形状に組み立てられたフレーム下枠１０の四隅部に、同じくアングルを用いた支柱１１の下部が、同アングルの直角２辺１１ａ、１１ｂのうちの１辺１１ａがフレーム下枠１０の垂直辺１５ｂの外面に外接され、他の１辺１１ｂが外向きとなる配置で固定されているので、例えば上記特許文献１のアンカーフレームに比較してアングルの１辺の幅寸の２倍程度も支柱１１の相互間隔（内法間隔）Ｗ１が広くなり（図１参照）、梁鉄筋ａを通す鉄筋組み立て（配筋）作業との折り合いを良好に保てる。それでいてフレーム下枠１０の外法寸法Ｗ２（図１参照）はさして大きくはならないので、当該アンカーボルト支持フレームを設置する際に制約を受ける、杭基礎立ち上げ筋ｂ及び柱型立ち上げ筋ｃとの干渉も起こさず、やはり鉄筋組み立て（配筋）作業との折り合いが良好である。
【００１７】
その上、フレーム下枠１０の外法寸法Ｗ２（図１参照）が大きくないが故に、図６に使用状態を示したように、当該アンカーボルト支持フレームを基礎底面１上へ設置するに際して、予め基礎底面１へ墨出しした設置位置に対し、糸２６をテンプレート２２の上へ吊り掛けた下げ振り２５で位置出しする作業は、下げ振り２５が確実にフレーム下枠１０の外縁よりも外側の位置を指し、基礎底面１に直接描いた墨出し線との位置関係を明確に指示する。よって位置決めと設置の作業を容易に正確に行うことができる。
【００１８】
次に、アングルを用いた支柱１１の上部の直角２辺１１ａと１１ｂが形成する外向きの角部（外隅部）の外面に２辺が外接する配置で、平面視が矩形の定着板１２が直接水平に固定された構成であり、上記特許文献１及び４に見られるアングル状の取付け金物やフレームポストおよびその取付用ボルトやナットが無用であるから、部品点数が少なく、加工数も少なくて済み、製作が容易で安価である。
【００１９】
のみならず、平面視が矩形の定着板１２は、アングルを用いた支柱１１の上部の直角２辺１１ａ、１１ｂが形成する外向きの角部（外隅部）の外面に２辺が外接する配置で当てがい、溶接で固定する構成であるから、その際の定着板１２の位置決めは支柱１１に対する高さ位置を注意するだけで足り、簡単に正確に行える。したがって、工場加工を行う場合はもとより、現場対応の作業を行う場合にも容易に高品質に行うことが出来て便利である。
【発明を実施するための最良の形態】
【００２０】
基礎底面１へ固定されるフレーム下枠１０と、前記フレーム下枠１０の四隅に固定して垂直に立てられた支柱１１と、前記支柱１１の上部に固定されアンカーボルト１３を垂直に支持する定着板１２とで構成する。
前記フレーム下枠１０にはアングル１５を用い、同アングル１５の直角２辺１５ａと１５ｂを水平方向外向きと垂直方向上向きに配置して平面視を矩形状に組み立てる。
前記フレーム下枠１０の四隅に、同じくアングルを用いた支柱１１の下部が、同アングルの直角２辺１１ａと１１ｂのうちの１辺１１ａが、フレーム下枠１０の前記垂直辺１５ｂの外面に外接され、他の１辺１１ｂは外向きとなる配置で固定する。
前記支柱１１の上部における前記直角２辺１１ａと１１ｂが形成する外隅部の外面に２辺が外接する配置で、平面視が矩形の定着板１２が水平に固定され、前記定着板１２のボルト孔にアンカーボルト１３が垂直に支持された構成で実施する。
【００２１】
なお、フレーム下枠１０の四隅に、アングルを用いた支柱１１の直角２辺１１ａ、１１ｂのうちフレーム下枠１０の垂直辺１５ｂの外面に外接した１辺１１ａを除く他の１辺１１ｂに外接する配置で補助板１６が固定され、支柱１１の直角２辺の下部は、フレーム下枠１０の前記垂直辺１５ｂおよび前記補助板１６とボルト１９およびナット２０により固定される。そして、支柱１１の上部であって、前記直角２辺１１ａ、１１ｂが形成する外隅部の外面に、平面視が矩形の定着板１２の２辺が外接され溶接で直接固定して実施する。
【実施例】
【００２２】
以下に、図示した本発明の実施例を説明する。
図１は、本発明に係る露出型柱脚のアンカーボルト支持フレームを基礎底面１上へ固定した使用状態を示す。図示例の場合、基礎底面１は杭基礎２の上端面であることを示しており、図４によれば、基礎梁３の交点部に設置されていることを示している。図１中の符号４は捨てコンクリートである。アンカーボルト支持フレームは、そのフレーム下枠１０を基礎底面１へアースアンカー６で固定して設置するが、その際には予め基礎底面１に直接墨出しを行い、図６Ａ、Ｂに例示したようにテンプレート２２へ糸２６を吊り掛けた下げ振り２５を使用して正確に行う。
【００２３】
本発明に係る露出型柱脚のアンカーボルト支持フレームは、基礎底面１の上に固定されるフレーム下枠１０と、前記フレーム下枠１０の四隅部に固定して垂直に立てられた４本の支柱１１と、前記支柱１１の上部に固定されアンカーボルト１３を垂直に支持する定着板１２とから成る。
図３に構造の詳細を示したように、フレーム下枠１０にはアングル１５を用い、同アングル１５の直角２辺１５ａと１５ｂを水平方向外向きと垂直方向上向きに配置し、各々を溶接により接合して平面視を矩形状、図４の実施例では正方形に組み立てられている。
【００２４】
上記フレーム下枠１０の四隅部に、同じくアングルを用いた支柱１１の下部が、同アングルの直角２辺１１ａ、１１ｂのうちの１辺１１ａをフレーム下枠１０の前記垂直辺１５ｂの外面に外接され、他の１辺１１ｂは外向きとなる配置で固定されている。そして、図３から明らかなように、フレーム下枠１０の四隅部には、アングルを用いた支柱１１の前記直角２辺１１ａと１１ｂのうち、フレーム下枠１０の垂直辺１５ｂの外面に外接した１辺１１ａを除く他の１辺１１ｂに外接する配置で、補助板１６が、アングル１５へ溶接して強固に固定されている。かくして支柱１１の直角２辺１１ａと１１ｂの下部は、フレーム下枠１０の前記垂直辺１５ｂと前記補助板１６とにそれぞれぴったり密接する配置で垂直に立てられ、両者に予め中心が一致する配置で加工されたボルト孔１７ａと１７ｂ、及び１８ａと１８ｂへそれぞれボルト１９を共通に通し、ナット２０を締め込み緊結して強固に固定されている（請求項２に記載した発明）。
【００２５】
上記支柱１１の上部には、当該アングルの直角２辺１１ａと１１ｂの外隅の外面に、平面視が矩形、図４に示す実施例では正方形の定着板１２の直角２辺がそれぞれ外接する配置で水平に当てがわれ、溶接で強固に直接固定されている。この定着板１２には予めボルト孔が設けられており、同ボルト孔にアンボンドタイプのアンカーボルト１３の下端部に形成したネジ部１３ａが垂直下向きに通され、その上下にねじ込まれた２個のナット１４、１４で強固に締め付け固定して１本ずつ支持されている（請求項３に記載した発明）。
【００２６】
図１の場合、上記のようにして各定着板１２で支持された合計４本のアンカーボルト１３を正規の位置関係にしっかり保持する手段として、各アンカーボルト１３の上端部のネジ部１３ａ及びナット２１を利用して、位置決め用のテンプレート２２が仮止めされている。テンプレート２２で仮止めした状態で基礎梁３のコンクリート打設が各アンカーボルト１３の上端のネジ部１３ａより少し下のレベルまで進められる。前記基礎梁３のコンクリートが所定の強度を発現した後に、前記テンプレート２２が撤去され、図５に示したように、基礎梁３の天端に高さ調整用のモルタル２３が敷かれ、鉄骨柱５のベースプレート５ａが各ボルト孔を４本のアンカーボルト１３へ通して載せられ、ナット２１を緊結して強固な固定が行われるのである。
【図面の簡単な説明】
【００２７】
【図１】本発明に係る露出型柱脚のアンカーボルト支持フレームの設置状態を示した立面図である。
【図２】前記支持フレームのテンプレートを示した平面図である。
【図３】本発明に係る露出型柱脚のアンカーボルト支持フレームの主要部の構造を分解状体で示した斜視図である。
【図４】図１のIV−IV線矢視図である。
【図５】鉄骨柱が建てられた使用状態を示す立面図である。
【図６】Ａは本発明に係る露出型柱脚のアンカーボルト支持フレームの設置に下げ振りを使用した場合の使用状態を示した立面図、ＢはＡのVI−VI線矢視図である。
【符号の説明】
【００２８】
１                基礎底面
１０              フレーム下枠
１１              支柱
１３              アンカーボルト
１２              定着板  
１５              アングル
１５ａ、１５ｂ    直角２辺
１１ａ、１１ｂ    直角２辺
１６              補助板    
１９              ボルト
２０              ナット
【図１】
2005139695.tif 000003
【図２】
2005139695.tif 000004
【図３】
2005139695.tif 000005
【図４】
2005139695.tif 000006
【図５】
2005139695.tif 000007
【図６】
2005139695.tif 000008